(57)【特許請求の範囲】
【請求項１】
ハンドセットと、同ハンドセットを着脱自在に保持するホルダーからなる通話装置において、
前記ハンドセットは、受話部と送話部と、同受話部と同送話部を連結して手掛となる手掛部とからなり、
前記ホルダーは、弾性を有する樹脂材で形成され、前記ハンドセットの前記受話部および前記送話部をそれぞれ内側で保持するとともに前記ハンドセットの着脱時にガイドとなる第１外壁および第２外壁と、前記第１外壁と前記第２外壁の間に手掛用開口部を設けて連結する連結部からなり、
前記第１外壁および前記第２外壁の前記連結部側の左右端には、前記第１外壁および前記第２外壁よりも高く形成され左右で向かい合う第１係止片および第２係止片が設けられ、前記第１係止片と前記第１外壁の間と、前記第２係止片と前記第２外壁の間にはそれぞれ前記第１外壁および前記第２外壁の高さより低い位置まで切欠いた第１切欠部および第２切欠部を形成し、
前記第１係止片および前記第２係止片の突端には、それぞれ内側に向かって突出した係止爪が備えられたことを特徴とする通話装置。
【請求項２】
向かい合う前記第１係止片の間隔および向かい合う前記第２係止片の間隔は、前記ハンドセットを保持するときに前記ハンドセットの当接する部分を挟持するように形成されたことを特徴とする請求項１に記載の通話装置。
【発明の詳細な説明】
【技術分野】
【０００１】
本発明は、消防自動車や救急車などで用いる移動無線通信機用のハンドセットの着脱が容易な通話装置に関する。
【背景技術】
【０００２】
従来、消防自動車や救急自動車に載置される移動無線通信機に接続され通話に使われるハンドセット１００は、図７に示すように車内のコンソールや壁面や床面に取り付けられたホルダー１１０で振動や衝撃により脱落しないように保持されている。
ホルダー１１０は、車内に固定される背板１１１と、ハンドセット１００の受話部１０１を係止する前記背板１１１の上端に溶着されたコ字状のアーム１１２と、ハンドセット１００の送話部１０２を係止する前記背板１１１の下端に溶着されたコ字状のアーム１１３とアーム１１３の上端に連結されたコイルバネ１１４で構成されている。
ハンドセット１００をホルダー１１０に装着する場合は、まず、送話部１０２をコイルバネ１１４に引っ掛けた後、ハンドセット１００をアーム１１２側へ移動させ、受話部１０１がアーム１１２を一度を乗り越えてからアーム１１２に係止することで装着される。
同様にハンドセット１００をホルダー１１０から取り外す場合は、受話部１０１をアーム１１２から取り外し、アーム１１３側へ移動させてコイルバネ１１４から外すことになる。（特許文献１参照）。
【先行技術文献】
【特許文献】
【０００３】
【特許文献１】実開平２−１６６３９号公報（従来の技術、図３）
【発明の概要】
【発明が解決しようとする課題】
【０００４】
しかしながら、上記従来例においては、着脱する際には必ず一度ハンドセット１００をアーム１１２側もしくはアーム１１３側へ移動させる動作が必要となり、その後にハンドセット１００を着脱することになる。いわば２段階に外す動作により操作性が悪く、緊急を要する通話の際にハンドセットを取り外す時間が余計にかかることになる。
また、この種のハンドセットは消防自動車や救急自動車内のコンソールや壁面や床面で他の通信機器や救急医療機器機材に囲まれた極めて狭い場所に設置されるため、ハンドセットを移動させて着脱するスペースがないこともある。
【０００５】
本発明は以上述べた問題点を解決し、消防自動車や救急車などで用いる移動無線機用のハンドセットの操作が容易であり、且つ操作に余分なスペースを必要としない通話装置を提供することを目的とする。
【課題を解決するための手段】
【０００６】
上述した課題を解決するために、本発明は、ハンドセットと、同ハンドセットを着脱自在に保持するホルダーからなる通話装置において、
前記ハンドセットは、受話部と送話部と、同受話部と同送話部を連結して手掛となる手掛部とからなり、
前記ホルダーは、弾性を有する樹脂材で形成され、前記ハンドセットの前記受話部および前記送話部をそれぞれ内側で保持するとともに前記ハンドセットの着脱時にガイドとなる第１外壁および第２外壁と、前記第１外壁と前記第２外壁の間に手掛用開口部を設けて連結する連結部からなり、
前記第１外壁および前記第２外壁の前記連結部側の左右端には、前記第１外壁および前記第２外壁よりも高く形成され左右で向かい合う第１係止片および第２係止片が設けられ、前記第１係止片と前記第１外壁の間と、前記第２係止片と前記第２外壁の間にはそれぞれ前記第１外壁および前記第２外壁の高さより低い位置まで切欠いた第１切欠部および第２切欠部を形成し、
前記第１係止片および前記第２係止片の突端には、それぞれ内側に向かって突出した係止爪が備えられたことを特徴とする。
【０００７】
向かい合う前記第１係止片の間隔および向かい合う前記第２係止片の間隔は、前記ハンドセットを保持するときに前記ハンドセットの当接する部分を挟持するように形成されたことを特徴とする。
【発明の効果】
【０００８】
上記のように構成した本発明の通話装置は、ハンドセットをホルダーに対して前面からの一方向で着脱することができるため、操作性が向上し、緊急を要する通話の際はすばやく着脱することができる。また、従来例のようにハンドセットを上下に移動させて着脱するスペースを必要としないものとなる。
【図面の簡単な説明】
【０００９】
【図１】本発明による通話装置の斜視図である。
【図２】本発明によるハンドセットの斜視図である。
【図３】図１の通話装置を縦中心に切断した内部機構を省略した断面図である。
【図４】本発明によるホルダーの斜視図である。
【図５】本発明による通話装置の側面図である。
【図６】本発明によるハンドセットとホルダーの着脱方向を示す図である。
【図７】従来例を示し（Ａ）はホルダーの図で、（Ｂ）はハンドセットをホルダーに取り付けた状態を示す図である。
【発明を実施するための形態】
【００１０】
以下、本発明を実施するための形態を、添付図面に基づいた実施例として詳細に説明する。
【実施例１】
【００１１】
実施例１に係る通話装置１は、図１に示すように消防自動車や救急自動車に載置される無線通信機に接続され、通話や通信に使われるハンドセット２と、車内のコンソールや壁面や床面に取り付けられてハンドセット２を保持するホルダー３とからなる。
【００１２】
尚、図１でハンドセット２が位置する方向を前面とし、ホルダー３が位置する方向を背面とし、ハンドセット２の左上方向を上面とし、右下方向を下面とし、ハンドセット２を前面側から見て左側を左側面とし、右側を右側面として説明を進める。
【００１３】
ハンドセット２は、図２および図３に示すように、前面から見ると縦長の小判形をした前面ケース２０と、前面ケース２０の背面側に組み付けられた背面ケース２１で外郭が構成され、上端側にホルダー３側に向かって突出して設けられた受話部２２と、下端側にホルダー３側に向かって突出して設けられた送話部２３と、受話部２２と送話部２３を連結して手掛となる手掛部２４とからなる。
【００１４】
前面ケース２０と背面ケース２１が嵌合する合せ目２５は、側面から見ると前面ケース２０と平行な緩やかな弓形を成し前面ケース２０の側面周囲は合せ目２５に向かい徐々に広がる傾斜面２０ａを形成している。
また、背面ケース２１の受話部２２と送話部２３はそれぞれ先端部の受話面２２ａと送話面２３ａに向けて外径が徐々に細くなるように受話側傾斜面２１ａと送話側傾斜面２１ｂが形成されている。さらに、背面ケース２１の下端からは無線通信機に接続されるコード４が引き出されている。
前面ケース２０と背面ケース２１の左右側面で受話部２２と送話部２３の近傍には、合せ目２５を跨いで凸状のリブ２６が複数本設けられている。
以上の構成により、ハンドセット２は合せ目２５の部分が最も縦長で幅広に形成されている。
【００１５】
ホルダー３は、図３から図５に示すように、弾性を有する例えばポリプロピレンの樹脂材で形成され、ハンドセットの通話部２２および送話部２３を内側で保持してガイド機構を有する第１外壁３１ａおよび第２外壁３１ｂと、第１外壁３１ａと第２外壁３１ｂの間に手掛用開口部３ａを設けて連結する連結部３２と、ホルダー３を車両に固定する取付板５とからなり、前面側から見るとハンドセット２の縦長の小判形の外径を若干大きくした形状となっている。
【００１６】
第１外壁３１ａは、内側にハンドセット２の受話部２２を保持するために、受話面２２ａと受話側傾斜面２１ａの形状に合わせた第１保持部３０ａを有し、第２外壁３１ｂは、内側にハンドセット２の送話部２３を保持するために、送話面２３ａと送話側傾斜面２１ｂの形状に合わせた第２保持部３０ｂを有する。第１外壁３１ａと第２外壁３１ｂの高さはハンドセット２の保持状態で合わせ目２５までの高さとなっているが、これに限らずハンドセット２を保持する壁が少しでもあれば良い。
また、第２外壁３１ｂの下端にはコード４を導出するためのコード導出用凹部３１ｂ１が設けられている。
【００１７】
連結部３２は、使用者の手が挿入できるように第１保持部３０ａと第２保持部３０ｂよりも背面側に低く形成されハンドセット２を装着した時に手掛用開口部３ａ用の空間が設けられるようになっている。連結部３２の側面は第１外壁３１ａと、第２外壁３１ｂのそれぞれの左右側面を面一となるように連結している。
【００１８】
第１外壁３１ａの連結部３２側の左右端には、それぞれ、第１外壁３１ａの高さよりも高く形成され左右で向かい合う第１係止片３３ａ、３３ａが設けられている。第１係止片３３ａ、３３ａと第１外壁３１ａの間には第１外壁３１ａより低い位置まで緩やかな三角形状に切欠いた第１切欠部３４ａがある。第１係止片３３ａは手掛用開口部３ａから連続した辺と、切込部３４から立ちあがった辺により山形を形成することで、先端が弾性を有しながらも強度を有するものとなる。
第１係止片３３ａ、３３ａのハンドセット側の突端には、内側に向かって突出した係止爪３５が備えられている。係止爪３５はハンドセット側の先端が細くホルダー３の底面側が広い三角形状となっている。
同様に、第２外壁３１ｂの連結部３２側の左右端には、それぞれ、第２外壁３１ｂの高さよりも高く形成され左右で向かい合う第２係止片３３ｂ、３３ｂが設けられている。第２係止片３３ｂ、３３ｂと第２外壁３１ｂの間には第２外壁３１ｂより低い位置まで緩やかな三角形状に切欠いた第２切欠部３４ｂがある。第２係止片３３ｂは手掛用開口部３ａから連続した辺と、切込部３４から立ちあがった辺により山形を形成することで、先端が弾性を有しながらも強度を有するものとなる。
第２係止片３３ｂ、３３ｂのハンドセット側の突端には、内側に向かって突出した係止爪３５が備えられている。係止爪３５はハンドセット側の先端が細くホルダー３の底面側が広い三角形状となっている。
尚、第１係止片３３ａと第１外壁３１ａの間と第２係止片３３ｂと第２外壁３１ｂの間にそれぞれ第１切欠部３４ａおよび第２切欠部３４ｂを備えることで、第１係止片３３ａと第２係止片３３ｂは、第１外壁３１ａ第と２外壁３１ｂよりも若干背を高くすることで弾性を有することが出来き、ハンドセット２のホルダー３への着脱を容易にし、且つホルダー３全体の高さを抑えコンパクトにすることが可能となる。
また、第１係止片３３ａと第２係止片３３ｂが拡開と反発を繰り返しても、第１切欠部３４ａおよび第２切欠部３４ｂがあることで、第１外壁３１ａおよび第２外壁３１ｂに拡開の影響を与えることがなく、ホルダー３の変形を防止できる。
【００１９】
向かい合う第１係止片３３ａ、３３ａの間隔、および向かい合う第２係止片３３ｂ、３３ｂの間隔は、ハンドセット２を保持するときにハンドセットの当接する部分を挟持するように形成されるとともに、向かい合う係止爪３５の間隔はハンドセットの当接する部分よりも狭く形成されていることで、ハンドセット３を強固に挟持することが可能となり、ホルダー３から脱落することはない。
【００２０】
上記の構成により、ハンドセット２をホルダー３に保持する際の動作について説明する。ホルダー３は弾性を有する樹脂材で成形され、４箇所設けられた第１係止片３３ａ、３３ａと第２係止片３３ｂ、３３ｂは、第１外壁３１ａおよび第２外壁３１ｂとの間に第１切欠部３４ａおよび第２切欠部３４ｂが設けられていることから、図６に示すように前方から直接ホルダー３にハンドセット２を差し込むと、ハンドセット２は係止爪３５の三角形状に沿って移動する。ハンドセット２が挿入されると４箇所の第１係止片３３ａ、３３ａと第２係止片３３ｂ、３３ｂはハンドセット２に押されて拡開する。
そのままハンドセット２を移動すると受話側傾斜面２１ａが第１保持部３０ａをガイドとし、送話側傾斜面２１ｂが第２保持部３０ｂをガイドとして移動することになるため、ハンドセット２は上下を抑えられ、また第１係止片３３ａと第２係止片３３ｂに左右を抑えられていることで上下左右にずれることなくスムーズに移動することができる。
【００２１】
受話部２２が第１保持部３０ａに収納され、同時に送話部２３が第２保持部３０ｂに収納されると、係止爪３５が最も幅広であるハンドセット２の合せ目２５を乗り越えて、前面ケース２の傾斜面２０ａに位置することから、第１係止片３３ａ、３３ａと第２係止片３３ｂ、３３ｂは弾性により閉じられる。これによりハンドセット２を４箇所の係止爪３５で強固に挟持することができる。
また第１外壁３１ａおよび第２外壁３１ｂもハンドセット２の最も縦長部分である合せ目２５と当接することで、ハンドセット２を壁掛けで使用した場合でも、ハンドセット２の下部が第２外壁３１ｂで支えられることでホルダー３から脱落することはない。
【００２２】
次に、ハンドセット２をホルダー３から取り外す際の動作について説明する。使用者は手掛用開口部３ａに手を挿入してハンドセット２を握り前方へ引き出す。第１係止片３３ａ、３３ａと第２係止片３３ｂ、３３ｂは弾性を有することで拡開して、係止爪３５が合せ目２５を通過すると取り外すことができる。
【００２３】
ハンドセット２は、係止爪３５と接する部分にリブ２６を設けていることで、係止爪３５はリブ２６に沿って移動する。これによりハンドセット２と接する面が少なくなり摩擦が減ることによりハンドセット２の着脱が容易になるとともに、係止爪３５による傷がなくなる。また、保持する際は、係止爪３５がリブ２６の上端に引っ掛かり係止されることから、より確実に係止される。
【００２４】
以上説明したように、ハンドセット２は、ホルダー３に対して前面からの一方向で着脱することができるため、操作性が向上し、緊急を要する通話の際はすばやく着脱することができる。また、従来例のようにハンドセットを上下にスライドさせて着脱するスペースを必要とせず、さらに、ホルダー３は前面視でハンドセット２よりも若干大きい形状であることで、消防自動車や救急自動車内のコンソールや壁面や床面で他の通信機器や救急医療機器機材に囲まれた極めて狭い場所に設置可能となる。
【符号の説明】
【００２５】
１    ：通話装置
２    ：ハンドセット
２０  ：前面ケース
２１  ：背面ケース
２１ａ：受話側傾斜面
２１ｂ：送話側傾斜面
２２  ：受話部
２３  ：送話部
２５  ：合せ目
２６  ：リブ
３    ：ホルダー
３ａ  ：手掛用開口部
３０ａ：第１保持部
３０ｂ：第２保持部
３１ａ：第１外壁
３１ｂ：第２外壁
３２  ：連結部
３３ａ：第１係止片
３３ｂ：第２係止片
３４ａ：第１切欠部
３４ａ：第２切欠部
３５  ：係止爪
【図１】
0005765534.tif 000002
【図２】
0005765534.tif 000003
【図３】
0005765534.tif 000004
【図４】
0005765534.tif 000005
【図５】
0005765534.tif 000006
【図６】
0005765534.tif 000007
【図７】
0005765534.tif 000008